(57)【要約】保管タンクを簡単かつ価格的に有利に交換でき、従って浄化剤を配量装置にできるだけ簡単かつ低コストで供給可能な、浄化剤用配量装置を備えた煙道ガス浄化設備を提供する。浄化剤（Ｒ）用配量装置（８）を有する煙道ガス浄化設備（２）に、複数の保管タンク（６）を収容し、保管タンク（６）を自動的に配量装置（８）に運搬する収集装置（４）を設ける。保管タンク（６）の自動的な搬送が可能なので、必要となる操作要員を大幅に低減できる。
2004524132.tif 000002
【特許請求の範囲】
【請求項１】
保管タンク（６）から配量装置（８）に供給される浄化剤  （Ｒ）用の配量装置（８）を有する煙道ガス浄化設備（２）において、複数の保管タンク（６）を収容し、該保管タンク（６）を自動的に配量装置（８）に運搬する収集装置（４）を備えたことを特徴とする煙道ガス浄化装置。
【請求項２】
収集装置（４）が、保管タンク（６）を運搬する搬送ユニット（１２、１６）を備えたことを特徴とする請求項１記載の設備（２）。
【請求項３】
前記搬送ユニットが、保管タンク（６）を吊り下げる収集レール（１２）として形成されたことを特徴とする請求項２記載の設備（２）。
【請求項４】
搬送ユニット（１２、２６）が回転するように形成されたことを特徴とする請求項２又は３記載の設備（２）。
【請求項５】
搬送ユニットが、各々１個の保管タンク（６）を吊り下げることのできる積載アーム（２８）を備える回転式ユニット（２６）として形成されたことを特徴とする請求項２又は３記載の設備（２）。
【請求項６】
各保管タンク（６）が、配量装置（８）に浄化剤を上方から供給することを特徴とする請求項１乃至５の１つに記載の設備（２）。
【請求項７】
配量装置（８）への運搬のため、各保管タンク（６）を誘導する案内要素（１６）が設置されたことを特徴とする請求項１乃至６の１つに記載の設備（２）。
【請求項８】
浄化剤（Ｒ）がばら材であることを特徴とする請求項１乃至７の１つに記載の設備。
【請求項９】
煙道ガス浄化設備（２）の浄化剤（Ｒ）を配量装置（８）に運搬する方法において、浄化剤（Ｒ）を含む複数の保管タンク（６）を収集装置（４）に収容し、１つの保管タンク（６）から浄化剤を配量装置（８）に自動的に供給することを特徴とする方法。
【発明の詳細な説明】
【０００１】
本発明は、浄化剤用配量装置を備えた煙道ガス浄化設備並びに煙道ガス浄化設備の浄化剤を配量装置に供給する方法に関する。
【０００２】
煙道ガス浄化設備の場合、煙道ガスの浄化に一般に消耗材が浄化剤として使用される。これには、例えばばら材として供給される収着媒がある。収着媒の典型例は、例えば所謂平炉コークスである。浄化剤はこの設備に、平炉コークスの場合、典型的には所謂「Ｂｉｇ‐Ｐａｃｋ」である保管タンク内に供給される。
【０００３】
この浄化剤は浄化ユニットに計量して供給される。そのために配量装置が備えられる。この配量装置に、浄化剤は同様に保管タンクを経て供給される。この保管タンクは、浄化剤の需用を比較的長時間、例えば数日間賄える程の大きさがある。保管タンクの浄化剤を使い尽くすと、直ちにこの保管タンクを、満杯の保管タンクと交換せねばならない。保管タンクが大きいことから、これは一般に、空の保管タンクの除去後、フォークリフトにより満杯の保管タンクを配量装置に運ぶ。それにはかなりの時間を要する。
【０００４】
本発明は、煙道ガス浄化設備の保管タンクの簡単かつ価格的に有利な交換を可能にすることを課題とする。
【０００５】
本発明はこの課題を、複数の保管タンクを収容する１つの収集装置を備え、該装置により保管タンクを自動的に配量装置に運び、保管タンクから浄化剤を配量装置に供給する、浄化剤用配量装置を有する煙道ガス浄化設備により解決する。
【０００６】
自動的に搬送できる点で、費用と時間を要し、手動による保管タンクの交換が不要となる利点が得られる。同時に、複数の保管タンクを収集装置内に容れてあることから、全体として収集装置内の浄化剤の分量で極めて長時間を賄うことができ、その間操作要員の介入を必要とせず、必要となる操作要員の数は大幅に低減する。同時に、収集装置の他に付加的な在庫が不要になる。
【０００７】
この収集装置が、保管タンクを運ぶ搬送ユニットを備えると有利である。即ちこのユニットにより、収集装置から又は収集装置の範囲内で各保管タンクは配量装置に搬送される。この搬送ユニットは同時に、空の保管タンクを自動的に配量装置から除去する役目をする。即ち、この収集装置は二重の機能、即ち複数のタンクの保管と、その自動的搬送の機能を果たす。
【０００８】
搬送ユニットを、保管タンクを吊すことのできる収集レールとして形成するとよい。これは保管タンクを簡単に運ぶことを可能にする。収集レールではなく、搬送ベルト又は搬送ローラ上に保管タンクを載せてもよい。
【０００９】
搬送ユニットを簡単に交換する、即ち空の保管タンクを除去し、満杯の保管タンクを補給することを可能にすべく、回転するように形成すると有利である。
【００１０】
周回形式に代え、搬送ユニットを、各々保管タンクを吊すことのできる積載アームを持つ、メリーゴーランド形式の回転式ユニットとして形成するとよい。こうして、この回転式ユニットの回転により保管タンクの交換を達成できる。
【００１１】
浄化剤の配量装置への簡単な供給を可能にするため、各保管タンクが重力を利用すべく、配量装置に浄化剤を上方から供給すると有利である。それにより、配量装置に浄化剤を装填するための別の補助手段又は起重装置は不要となる。
【００１２】
各保管タンクの目標に対応した正確な搬送を可能にするため、保管タンクを配量装置に運ぶ際に搬送用の案内要素を備える。
【００１３】
ここで浄化剤としてばら材が適する。それらは特に、例えば所謂平炉コークス等の収着媒である。保管タンクは、所謂「Ｂｉｇ‐Ｐａｃｋ」であると有利である。
【００１４】
本発明によれば、この課題はまた浄化剤を収容する複数の保管タンクを収集装置に容れて保管タンクを配量装置に自動的に給送する、煙道ガス浄化設備の浄化剤の供給方法により解決される。
【００１５】
この設備に関し述べた利点と有利な実施形態は、同様に本方法に転用できる。
【００１６】
本発明の実施例を図面に基づき以下に詳述する。図面は、各々概略図である。
【００１７】
図１の煙道ガス浄化設備２には、複数の保管タンク６が配置されており、浄化剤Ｒを保管するための収集装置４を有する。更にこの設備２は、スクリューコンベアとして形成された配量装置８並びに浄化剤Ｒを配量装置８により給送される煙道ガス浄化領域１０を有する。該領域１０は、通常煙道ガス浄化設備２内で煙道ガスＲＧの浄化に相互作用する多数の構成要素を含む。この煙道ガスＲＧは、煙道ガス浄化領域１０に供給され、そこから清浄な気体Ｇとして出ていく。この煙道ガス浄化の際に、浄化剤Ｒが消費され、煙道ガス浄化領域１０から排出される残渣物質ＲＳが形成される。
【００１８】
図１及び２に示すように、保管タンク６は収集装置４内で支持構造１４に固定された収集レール１２に吊り下げられている。保管タンク６の誘導のため、案内要素１６がガイドレール又は案内棒の形で設置されている。この要素１６は、配量装置８上に送られる各保管タンク６が、正確な位置で配量装置８の供給ホッパー１８上に達するのを保証する。好ましくは、保管タンク６が供給ホッパー１８の上方に移動すると、閉鎖状態では浄化剤Ｒが保管タンク６から落下するのを阻止する排出バリヤ２０が自動的に開く。
【００１９】
配量装置８の上方に一時的に配置された保管タンク６の浄化剤Ｒが消尽されると、直ちに自動的に空の保管タンク６が満杯の保管タンク６と交換される。そのため保管タンク６は図示ないモータ駆動装置により収集レール１２に沿って運ばれる。その際、この収集レール１２を、図２から判るように、周回する収集レール１２として形成すると有利である。
【００２０】
配量装置８の上方にある各保管タンク６が空になった時、それを自動的に検知するとよい。そのため図１の実施例では、供給ホッパー１８の充填量測定器として形成した適切なセンサ要素２２を備えている。或いはまた、このセンサ要素２２を重量センサとして形成し、各保管タンク６の重量を測定すべく、例えば収集レール１２上に配置してもよい。このセンサ要素２２からセンサ信号Ｓが制御ユニット２４に送られ、該ユニットは、保管タンク６が空になった時点で、収集レール１２用モータ（図示せず）を始動すべく、モータ信号Ｍをモータに送る。
【００２１】
この種の設備２は、一方では、浄化剤Ｒの配量装置８への供給を自動的に行える重要な利点を持つ。制御ユニット２４とセンサ要素２２を備えることで、配量装置８への浄化剤Ｒの供給を全自動的に行える。従って操作要員の介入不要であり、保管タンク６の交換を費用の点で有利に行える。また他方では、収集装置４が一定数の保管タンク６を容れているため、付加的在庫の必要性もなくなる。
【００２２】
図１及び２に示した、搬送ユニットとしての周回する収集レール１２の代わりに、図３の実施例では、搬送ユニットを４個の積載アーム２８を持つ回転式ユニット２６として形成している。この例でも積載アームに保管タンク６を吊り下げる。回転式ユニット２６の回転により保管タンク６を交換できる。
【図面の簡単な説明】
【図１】本発明の一実施例による煙道ガス浄化設備を簡略化して示す図。
【図２】図１の収集装置の平面図。
【図３】別の収集装置の実施形を示す図。
【符号の説明】
２  煙道ガス浄化設備
４  収集装置
６  保管タンク
８  配量装置
１０  煙道ガス浄化領域
１２  収集レール
１４  支持構造
１６  案内要素
１８  供給ホッパー
２０  排出バリヤ
２２  センサ要素
Ｒ  浄化剤
ＲＧ  煙道ガス
Ｇ  清浄な空気
ＲＳ  残渣物質
Ｓ  センサ信号
Ｍ  モータ信号
【国際公開パンフレット】
2004524132.tif 000003
2004524132.tif 000004
2004524132.tif 000005
2004524132.tif 000006
2004524132.tif 000007
2004524132.tif 000008
2004524132.tif 000009
2004524132.tif 000010
2004524132.tif 000011
2004524132.tif 000012
2004524132.tif 000013
2004524132.tif 000014
2004524132.tif 000015
【国際調査報告】
2004524132.tif 000016
2004524132.tif 000017
2004524132.tif 000018
2004524132.tif 000019